(57)【要約】【課題】本発明は、センサの回路基板を樹脂製の支持フレームに形成されるフック部に係合させて支持する構造において、回路基板に静電気が飛ぶのを抑制することができる画像形成装置を提供することを目的とする。【解決手段】画像形成装置は、給紙トレイから排出される記録シートをガイドするとともに、電気的に接地された板金ガイド７０と、手差し給紙口に挿入された記録シートを検知するセンサ１００と、センサ１００を支持する樹脂製の支持フレーム（シュートカバー６１）と、を備えている。そして、支持フレームの下壁部６１Ａには、センサ１００の回路基板９０と係合する揺動可能なフック部６６Ｃと、フック部６６Ｃの揺動を許容するように、フック部６６Ｃの周りに形成される開口部６６Ｄと、が形成され、板金ガイド７０には、開口部６６Ｄの一部を覆うように延出する延出部７３Ｂが形成されている。【選択図】図６
2010076895.tif 000002
【特許請求の範囲】
【請求項１】
装置本体の引出口から着脱可能な給紙トレイと、
前記装置本体における前記引出口の上方に形成される手差し給紙口と、
前記給紙トレイから排出される記録シートをガイドするとともに、電気的に接地された板金ガイドと、
前記手差し給紙口に挿入された記録シートを検知するセンサと、
前記センサを支持する樹脂製の支持フレームと、を備えた画像形成装置であって、
前記支持フレームの下壁部には、
前記センサの回路基板と係合する揺動可能なフック部と、
前記フック部の揺動を許容するように、前記フック部の周りに形成される開口部と、が形成され、
前記板金ガイドには、前記開口部に隣接または前記開口部の少なくとも一部を覆うように延出する延出部が形成されていることを特徴とする画像形成装置。
【請求項２】
前記延出部は、前記フック部に係合することを特徴とする請求項１に記載の画像形成装置。
【請求項３】
前記延出部は、前記開口部のすべてを覆うように形成されていることを特徴とする請求項１または請求項２に記載の画像形成装置。
【発明の詳細な説明】
【技術分野】
【０００１】
本発明は、手差し給紙口に挿入された記録シートを検知するセンサを備える画像形成装置に関する。
【背景技術】
【０００２】
従来より、画像形成装置として、装置本体の引出口から着脱可能な給紙トレイと、引出口の上方に位置する手差し給紙口と、手差し給紙口に挿入された記録シートを検知するセンサと、このセンサを支持する樹脂製の支持フレームと、を備えたものが知られている（特許文献１参照）。
【０００３】
【特許文献１】特開２００６−３１５７９７号公報
【発明の開示】
【発明が解決しようとする課題】
【０００４】
ところで、部品点数削減のために、ネジなどを使わずに支持フレームにセンサの回路基板を固定すべく、樹脂製の支持フレームの一部をフック部として形成し、このフック部を回路基板に係合させて回路基板を支持フレームに固定させる構造が考えられる。この構造の場合には、フック部を揺動させるためにフック部周りに開口部を形成する必要がある。
【０００５】
しかしながら、フック部用の開口部が装置本体内の給紙トレイの設置スペースに開口していると、この開口部を通してセンサの回路基板が給紙トレイの設置スペースに臨むこととなる。この場合、ユーザが給紙トレイを引出口から引き出して、給紙トレイ内に用紙をセットする際に、ユーザの手に静電気が溜まっていると、ユーザの手から静電気が開口部を通して回路基板に飛んで、回路基板に悪影響を与えてしまうおそれがあった。
【０００６】
そこで、本発明は、センサの回路基板を樹脂製の支持フレームに形成されるフック部に係合させて支持する構造において、回路基板に静電気が飛ぶのを抑制することができる画像形成装置を提供することを目的とする。
【課題を解決するための手段】
【０００７】
前記課題を解決する本発明は、装置本体の引出口から着脱可能な給紙トレイと、前記装置本体における前記引出口の上方に形成される手差し給紙口と、前記給紙トレイから排出される記録シートをガイドするとともに、電気的に接地された板金ガイドと、前記手差し給紙口に挿入された記録シートを検知するセンサと、前記センサを支持する樹脂製の支持フレームと、を備えた画像形成装置であって、前記支持フレームの下壁部には、前記センサの回路基板と係合する揺動可能なフック部と、前記フック部の揺動を許容するように、前記フック部の周りに形成される開口部と、が形成され、前記板金ガイドには、前記開口部に隣接または前記開口部の少なくとも一部を覆うように延出する延出部が形成されていることを特徴とする。
【０００８】
本発明によれば、板金ガイドに、支持フレームの下壁部に形成される開口部に隣接または開口部の少なくとも一部を覆うように延出する延出部が形成されているので、用紙補充の際に、静電気が溜まったユーザの手が開口部に近付いても、静電気は開口部を通らずに開口部近くの延出部に飛ぶ。その後、静電気は板金ガイドを介してアースに流れる。
【発明の効果】
【０００９】
本発明によれば、板金ガイドに、支持フレームの下壁部に形成される開口部に隣接または開口部の少なくとも一部を覆うように延出する延出部が形成されているので、用紙補充の際に、ユーザの手から静電気が開口部を通って回路基板に飛ぶのを抑制できる。
【発明を実施するための最良の形態】
【００１０】
次に、本発明の実施の形態を図面と共に説明する。参照する図面において、図１はカラープリンタの全体構成を示す断面図であり、図２は給紙トレイを引き出した状態を示す断面図である。なお、以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１１】
＜画像形成装置の全体構成＞
図１に示すように、画像形成装置の一例としてのカラープリンタ１は、直接転写タンデム方式のプリンタであって、装置本体の一例として略箱型の筐体２を備えている。筐体２の前面には、前面カバー３が設けられている。また、筐体２の上面には、記録シートの一例としての用紙４が画像形成後に積載される排紙トレイ５Ａが形成されている。
【００１２】
筐体２の下部には、画像形成前の用紙４が収容される給紙トレイ７が配設され、この給紙トレイ７は、図２に示すように、前面カバー３の下部に形成された引出口３Ｂから着脱可能となっている。図１に示すように、装着された状態の給紙トレイ７の前端上方位置には、用紙４を搬送する給紙ローラ１１が設けられ、その給紙ローラ１１による搬送方向下流側には、給紙ローラ１１にて搬送される用紙４を１枚毎に分離する分離ローラ１２と分離パッド１３とが設けられている。
【００１３】
給紙トレイ７内の最も上に位置する用紙４は、給紙ローラ１１や分離ローラ１２等によって１枚毎に分離された後、紙粉取りローラ１４と対向ローラ１５とに挟まれて搬送され、後述の板金ガイド７０に案内されて一対のレジストローラ１６，１７の間へ送られる。レジストローラ１６，１７は、その用紙４を所定のタイミングで、後方のベルトユニット２０上へ送り出す。
【００１４】
また、前面カバー３の一部は、手差しトレイ１８として開放可能に構成されている。手差しトレイ１８は、前面カバー３の引出口３Ｂよりも上方に形成される手差し給紙口３Ｃを開閉するとともに、用紙４を載置するためのトレイである。そして、手差し給紙口３Ｃに差し込まれた用紙４は、後述するフロントシュート６０の手差し側シュート面６２上を通って、レジストローラ１６，１７の間へ挿入される。このように手差し給紙口３Ｃに差し込まれた用紙４も、レジストローラ１６、１７によって同様にベルトユニット２０上へ送り出される。
【００１５】
なお、手差し側シュート面６２からはアクチュエータ８０（図３参照）の当接部８１が穴部６２Ａを通って上方に向かって貫通するように突出している。レジストローラ１６，１７は、手差し給紙口３Ｃに挿入された用紙４によって当接部８１が倒されたときに用紙４を搬送すべく駆動制御がなされる。この当接部８１を含むフロントシュート６０の構成については後に詳述する。
【００１６】
ベルトユニット２０は、前後に離間して配置されたベルト駆動ローラ２１，テンションローラ２２の間に張設される搬送ベルト２３を備えている。搬送ベルト２３は、ポリカーボネート等の樹脂材からなる無端状のベルトであり、後側のベルト駆動ローラ２１が回転駆動されることにより、その上面に載せた用紙４を後方へ搬送する。
【００１７】
搬送ベルト２３の内側には、後述する４つの感光ドラム３１と対向配置される４つの転写ローラ２４が前後方向に一定間隔で並んで設けられており、これにより、各感光ドラム３１と対応する転写ローラ２４との間に搬送ベルト２３が挟まれた状態となっている。この転写ローラ２４には、転写時に定電流制御によって転写バイアスが印加される。
【００１８】
プロセスカートリッジ３０は、ＬＥＤユニット４０と対をなしてブラック、シアン、マゼンタ、イエローの各色に対応して４機ずつ設けられている。そして、各プロセスカートリッジ３０および各ＬＥＤユニット４０は、用紙の搬送方向に沿って直列に設けられている。
【００１９】
各プロセスカートリッジ３０は、感光ドラム３１、スコロトロン型帯電器３２および現像カートリッジ３４等を備えて構成されている。感光ドラム３１は、接地された金属製のドラム本体を備え、その表層を正帯電性の感光層で被覆することにより構成されている。スコロトロン型帯電器３２は、感光ドラム３１と接触しないように所定間隔を隔てて、感光ドラム３１と対向配置されている。このスコロトロン型帯電器３２は、コロナ放電を発生させることにより感光ドラム３１の表面を一様に正極性に帯電させる。
【００２０】
現像カートリッジ３４は、トナー収容室３５、供給ローラ３６、現像ローラ３７および層厚規制ブレード３８を備えている。各現像カートリッジ３４のトナー収容室３５には、現像剤として、ブラック、シアン、マゼンタまたはイエローの正帯電性非磁性１成分トナーがそれぞれ収容されている。
【００２１】
トナー収容室３５内のトナーは、供給ローラ３６の回転により現像ローラ３７に供給され、供給ローラ３６と現像ローラ３７との間で正に摩擦帯電される。現像ローラ３７上に供給されたトナーは、現像ローラ３７の回転に伴って、層厚規制ブレード３８と現像ローラ３７との間に進入し、さらに十分に摩擦帯電されて、一定厚さの薄層として現像ローラ３７上に担持される。
【００２２】
感光ドラム３１の表面は、スコロトロン型帯電器３２により一様に正帯電された後、ＬＥＤユニット４０の下端に用紙幅方向（左右方向）に一列に配設されたＬＥＤ（図示省略）により露光されて、用紙４に形成すべき画像に対応した静電潜像が形成される。
【００２３】
次いで、現像ローラ３７の回転により、現像ローラ３７上に担持され正帯電されているトナーが、感光ドラム３１に対向して接触するときに、感光ドラム３１の表面上に形成されている静電潜像に供給される。これにより、感光ドラム３１の静電潜像は、可視像化され、感光ドラム３１の表面には、露光部分にのみトナーが付着したトナー像が担持される。
【００２４】
その後、各感光ドラム３１の表面上に担持されたトナー像は、搬送ベルト２３によって搬送される用紙４が感光ドラム３１と転写ローラ２４との間を通る際に、転写バイアスが印加された転写ローラ２４に引き寄せられて、用紙４に順次転写される。こうして各色のトナー像が重ねて転写された用紙４は、定着器５０に搬送される。
【００２５】
定着器５０は、筐体２内における搬送ベルト２３の後方に配置されている。この定着器５０は、ハロゲンランプ等の熱源を備えて回転駆動される加熱ローラ５１と、加熱ローラ５１の下方において、加熱ローラ５１を押圧するように対向配置される加圧ローラ５２とを備えている。この定着器５０では、各色のトナー像が転写された用紙４を、加熱ローラ５１と加圧ローラ５２とによって狭持搬送しながら加熱することにより、トナー像を用紙４に定着させる。そして、トナー像が定着された用紙４は、定着器５０の斜め後上方に配置された搬送ローラ５３により搬送され、筐体２の上部に設けられた排紙ローラ５４により排紙トレイ５Ａ上に排出される。
【００２６】
＜フロントシュートの構成＞
次に、フロントシュート６０の構成について詳細に説明する。参照する図面において、図３はフロントシュートを分解して示す分解斜視図であり、図４はセンサが取り付けられる前のシュートカバーの内部を拡大して示す拡大図（ａ）と、センサが取り付けられた後のシュートカバーの内部を拡大して示す拡大図（ｂ）である。図５は回路基板周りの構造を示す断面図であり、図６は板金ガイドの延出部とシュートカバーの開口部を示す分解斜視図であり、図７はシュートカバーの開口部の一部を板金ガイドの延出部で覆った状態を示す拡大斜視図である。
【００２７】
図３に示すように、フロントシュート６０は、支持フレームの一例としての樹脂製のシュートカバー６１の後部に、用紙４の搬送経路に沿って滑らかに湾曲した金属板からなる板金ガイド７０を、ビスＳにて固定して構成されている。また、シュートカバー６１の上面に形成された手差し側シュート面６２には、用紙幅方向（左右方向）中央に、穴部６２Ａ（図２参照）が穿設され、その穴部６２Ａから前述の当接部８１が前後に揺動可能に突出している。
【００２８】
シュートカバー６１は、後方に開口した箱状に構成され、その内側には、手差し給紙口３Ｃ（図１参照）に挿入された用紙４を検知するセンサ１００が設けられている。センサ１００は、アクチュエータ８０と回路基板９０とを備えて構成されている。アクチュエータ８０は、前述の当接部８１と、遮光板８２Ａが先端に形成されたアーム８２と、アクチュエータ位置決め腕８３とが１本の軸８４の周囲に一体成形された構造となっている。また、回路基板９０は、周知のプリント配線基板を用いて構成され、その下部に発光部から出射した光を受光部で検知可能なフォトインタラプタ９１が装着されている。
【００２９】
そして、これらの構成に対応して、シュートカバー６１の内面には、軸８４の一端８４Ａを支持する長孔６３と、アクチュエータ位置決め腕８３を受け入れる位置決め腕受け入れ部６４と、軸８４の他端８４Ｂを支持する軸受部６５と、回路基板９０が装着される基板装着部６６とが設けられている。
【００３０】
図４（ａ），（ｂ）に示すように、長孔６３は、軸８４の一端８４Ａの挿入を容易にするために前後方向に長尺に構成されているが、一端８４Ａの挿入後には、軸８４が位置決め腕受け入れ部６４の切欠部６４Ａに支持されることによって、一端８４Ａは長孔６３の後端に回動自在に支持される。
【００３１】
位置決め腕受け入れ部６４は、軸８４から突出した矩形板状のアクチュエータ位置決め腕８３を受け入れるように、背面視が上に開いたコの字形に形成されており、軸８４と重なる部分には円筒面状の切欠部６４Ａが形成されている。この位置決め腕受け入れ部６４にアクチュエータ位置決め腕８３が嵌合することにより、アクチュエータ８０の左右方向の位置が決定される。
【００３２】
軸受部６５は、軸８４の他端８４Ｂを回動可能に支持している。なお、他端８４Ｂは、軸受部６５に挿入される部分が軸８４の他の部分よりも小径に構成されている。そして、軸８４が軸受部６５、切欠部６４Ａおよび長孔６３で支持された状態において、遮光板８２Ａは、回路基板９０に装着されたフォトインタラプタ９１の発光部９１Ａと受光部９１Ｂとの間に配置される。さらに、軸８４には、捻りコイルバネ８５が外嵌されている。この捻りコイルバネ８５は、一端８５Ａが当接部８１に係合し、他端８５Ｂがシュートカバー６１に設けられたバネ受け部６７に係合することにより、当接部８１を前方に付勢している。
【００３３】
これにより、通常、当接部８１は捻りコイルバネ８５の付勢力によって穴部６２Ａの前端に当接しており、このとき、遮光板８２Ａは発光部９１Ａから受光部９１Ｂに到る光路を遮る。そして、手差しトレイ１８を介して用紙４が挿入され、当接部８１が後方に揺動すると、発光部９１Ａからの光が受光部９１Ｂに検出される。この受光部９１Ｂの検出結果に基づいて、図示省略した制御系によりレジストローラ１６，１７等に対する公知の駆動制御が実行される。
【００３４】
基板装着部６６は、図４（ａ）に示すように、回路基板９０の上端部を挟持する一対の挟持リブ６６Ａと、回路基板９０の下端部を挟持する支持リブ６６Ｂおよびフック部６６Ｃと、フック部６６Ｃの揺動を許容するようにフック部６６Ｃの周りに形成される開口部６６Ｄとを有している。
【００３５】
フック部６６Ｃは、開口部６６Ｄとともにシュートカバー６１の下壁部６１Ａに一体に形成されている。フック部６６Ｃは、先端が鉤状に形成されており、左右に撓み変形することにより回路基板９０の下端部を支持リブ６６Ｂに押し付けて固定させている。そして、このフック部６６Ｃは、シュートカバー６１の下壁部６１Ａよりも下方に突出するように形成されており（図６参照）、これにより、後述する板金ガイド７０の延出部７３Ｂ（図６参照）と係合可能となっている。
【００３６】
図５に示すように、回路基板９０は、その下部がフック部６６Ｃの鉤状の先端部Ｃ１と開口部６６Ｄの前端縁との間で挟まれ、その上部がシュートカバー６１の前壁部６１Ｂに形成される位置決め突起６１Ｃに当接している。これにより、回路基板９０の前後方向への移動が規制されている。
【００３７】
また、回路基板９０は、上下方向において、一対の挟持リブ６６Ａの上端を繋ぐ上壁部６６Ｅと、フック部６６Ｃの先端部Ｃ１および下壁部６１Ａとで挟まれている。これにより、回路基板９０の上下方向への移動が規制されている。
【００３８】
そして、以上のようにフック部６６Ｃ等で支持された回路基板９０は、図２に示すように、開口部６６Ｄを介して引出口３Ｂ付近の空間（給紙トレイ７が収容されるスペース）内に露出するようになっている。
【００３９】
図３に示すように、板金ガイド７０は、用紙４を案内する湾曲した板状のガイド部７１と、ガイド部７１の左右両端から前方に突出する一対の取付フランジ７２と、図６に示すように、ガイド部７１の下端から前方に突出する下フランジ７３とを有している。下フランジ７３は、シュートカバー６１の下壁部６１Ａの下面を覆うようにガイド部７１の下端から曲げられて形成されており、フック部６６Ｃに対応した位置には、フック部６６Ｃから逃げるように形成された逃げ部７３Ａが形成されている。
【００４０】
また、この逃げ部７３Ａの右側には、前方に延出して開口部６６Ｄの一部を覆う延出部７３Ｂが形成されている。具体的に、この延出部７３Ｂは、図７に示すように、板金ガイド７０をシュートカバー６１に取り付けた状態において、フック部６６Ｃの右面（回路基板９０に接触する面とは反対側の面）と係合している。これにより、フック部６６Ｃが右方向に揺動する（開く）のを抑えて、フック部６６Ｃからの回路基板９０の脱落が抑制されている。
【００４１】
そして、以上のように構成される板金ガイド７０は、電気的に接地されている。これにより、この板金ガイド７０に用紙４が摺接した際には、用紙４に溜まった静電気が板金ガイド７０を介してグランドに流されるようになっている。
【００４２】
次に、板金ガイド７０の作用について説明する。
図２に示すように、ユーザが給紙トレイ７を引き出して、給紙トレイ７内に用紙４を入れる際に、静電気が溜まったユーザの手が開口部６６Ｄに近付いても、ユーザの手に溜まった静電気は開口部６６Ｄの上（奥）にある回路基板９０に飛ぶことなく、開口部６６Ｄの下（手前）にある板金ガイド７０の延出部７３Ｂに飛ぶ。そして、延出部７３Ｂで捕捉された静電気は、板金ガイド７０を介してグランドに流れる。
【００４３】
以上によれば、本実施形態において以下のような効果を得ることができる。
板金ガイド７０に、シュートカバー６１の下壁部６１Ａに形成される開口部６６Ｄの一部を覆うように延出する延出部７３Ｂが形成されているので、用紙補充の際に、ユーザの手から静電気が開口部６６Ｄを通って回路基板９０に飛ぶのを抑制できる。また、搬送中の用紙４に帯電した静電気を除去するための板金ガイド７０、すなわち元々アースされている板金ガイド７０を利用して開口部６６Ｄを覆ったので、開口部６６Ｄを新たな板金で覆って、この板金をアースさせる構造に比べ、部品点数を削減することができる。
【００４４】
板金ガイド７０の延出部７３Ｂがフック部６６Ｃに係合しているので、ユーザが誤ってフック部６６Ｃを開く方向に押した場合であっても、フック部６６Ｃの開きが延出部７３Ｂで抑えられて、回路基板９０の脱落を抑制することができる。
【００４５】
なお、本発明は前記実施形態に限定されることなく、以下に例示するように様々な形態で利用できる。
前記実施形態では、開口部６６Ｄの一部を延出部７３Ｂで覆ったが、本発明はこれに限定されず、図８（ａ），（ｂ）に示すように、開口部６６Ｄのすべてを幅広の延出部７３Ｃで覆うようにしてもよい。これによれば、ユーザの手に溜まった静電気が開口部６６Ｄを通ることがないので、確実に回路基板９０に静電気が飛ぶのを抑制することができる。なお、この場合は、シュートカバー６１の下壁部６１Ａからフック部６６Ｃを突出させずに面一に形成して、下壁部６１Ａの開口部６６Ｄ付近に延出部７３Ｃを密着させるのが望ましい。これによれば、下壁部６１Ａと延出部７３Ｃとの隙間から静電気が漏れて回路基板９０に到達するのを抑えることができる。
【００４６】
また、図９に示すように、図８に示した幅広の延出部７３Ｃの一部をプレス加工等により上方に切り起こすことで、フック部６６Ｃの揺動を規制する規制部７３Ｄを形成してもよい。具体的には、図１０（ａ），（ｂ）および図１１に示すように、規制部７３Ｄは、開口部６６Ｄの後端に形成される逃げ部６６Ｆ内に入り込むことで、フック部６６Ｃの右面と係合する。これによれば、規制部７３Ｄの形成により幅広の延出部７３Ｃの一部に小さな孔が開くが、開口部６６Ｄの略全体が延出部７３Ｃで覆われるので、静電気が開口部６６Ｄを通って回路基板９０に飛ぶのを良好に抑制できる。また、フック部６６Ｃの揺動が規制部７３Ｄで規制されるので、回路基板９０の脱落を抑制することができる。
【００４７】
なお、図９に示すように延出部７３Ｃの一部を切り起こすのではなく、絞り加工や溶接等によって延出部７３Ｃの一部に孔を開けることなくフック部６６Ｃに係合する突起を延出部７３Ｃに形成してもよい。これによれば、延出部７３Ｃに孔が開かないので、確実に静電気が回路基板９０に飛ぶのを良好に抑制できる。
【００４８】
前記実施形態では、延出部で開口部の少なくとも一部を覆うようにしたが、本発明はこれに限定されず、延出部を開口部に隣接させてもよい。この場合も、開口部に隣接（近接）する延出部で静電気を捕捉することができるので、静電気が回路基板に飛ぶのを抑制できる。
【００４９】
前記実施形態では、カラープリンタ１に本発明を適用したが、本発明はこれに限定されず、その他の画像形成装置、例えば複写機や複合機などに本発明を適用してもよい。
前記実施形態では、記録シートの一例として、厚紙、はがき、薄紙などの用紙４を採用したが、本発明はこれに限定されず、例えばＯＨＰシートであってもよい。
【図面の簡単な説明】
【００５０】
【図１】カラープリンタの全体構成を示す断面図である。
【図２】給紙トレイを引き出した状態を示す断面図である。
【図３】フロントシュートを分解して示す分解斜視図である。
【図４】センサが取り付けられる前のシュートカバーの内部を拡大して示す拡大図（ａ）と、センサが取り付けられた後のシュートカバーの内部を拡大して示す拡大図（ｂ）である。
【図５】回路基板周りの構造を示す断面図である。
【図６】板金ガイドの延出部とシュートカバーの開口部を示す分解斜視図である。
【図７】シュートカバーの開口部の一部を板金ガイドの延出部で覆った状態を示す拡大斜視図である。
【図８】開口部のすべてを延出部で覆う形態におけるシュートカバーのフック部周りの構造を示す拡大斜視図（ａ）と、開口部を延出部で覆った状態を示す拡大斜視図（ｂ）である。
【図９】図８の延出部にフック部を規制する規制部を形成した形態を示す拡大斜視図である。
【図１０】図９の延出部で覆われる開口部周りの構造を示す拡大斜視図（ａ）と、開口部を延出部で覆った状態を示す拡大斜視図（ｂ）である。
【図１１】図９の規制部で規制されるフック部周りの構造を示す断面図である。
【符号の説明】
【００５１】
１      カラープリンタ
２      筐体
３      前面カバー
３Ｂ    引出口
３Ｃ    手差し給紙口
４      用紙
７      給紙トレイ
１８    手差しトレイ
６０    フロントシュート
６１    シュートカバー
６１Ａ  下壁部
６６Ａ  挟持リブ
６６Ｂ  支持リブ
６６Ｃ  フック部
６６Ｄ  開口部
７０    板金ガイド
７３Ｂ  延出部
９０    回路基板
９１    フォトインタラプタ
１００  センサ
【図１】
2010076895.tif 000003
【図２】
2010076895.tif 000004
【図３】
2010076895.tif 000005
【図４】
2010076895.tif 000006
【図５】
2010076895.tif 000007
【図６】
2010076895.tif 000008
【図７】
2010076895.tif 000009
【図８】
2010076895.tif 000010
【図９】
2010076895.tif 000011
【図１０】
2010076895.tif 000012
【図１１】
2010076895.tif 000013